(57)【要約】【課題】ねじの種類、価格等を表示するため、ボルト４０に取り付けられる表示札において、表示札をねじに係合させて取り付けることにより、表示札としての表示機能を損なうことなく、ねじ使用に当たっては容易に外せるねじ用表示札を提供する。【解決手段】ボルト４０に表示板１０が取り付けられ、この表示板１０にボルト４０の種類、価格等の表示が行われるねじ用表示札であって、表示板１０には、ボルト４０のねじ部４２が挿通される孔が設けられ、該孔は、その孔径がねじ部４２の互いに隣接するねじ山同士間の谷に受け入れられる大きさとされ、且つ孔の周りに孔側を先端とする複数の爪片を形成するように孔の周方向に複数の切込みが入れられ、表示板１０は、孔内にねじ部４２が挿通された状態では、爪片がねじ部４２のねじ山に係合して保持され、孔内にねじ部４２が挿通される過程では、爪片がねじ部４２のねじ山と干渉して変形可能とされている。【選択図】図１
2015125394.tif 000002
【特許請求の範囲】
【請求項１】
ねじ本体に表示板が取り付けられ、この表示板にねじ本体の種類、価格等の表示が行われるねじ用表示札であって、
前記表示板には、ねじ本体のねじ部が挿通される孔が設けられ、
該孔は、その孔径が前記ねじ部の互いに隣接するねじ山同士間の谷に受け入れられる大きさとされ、且つ該孔の周りに孔側を先端とする複数の爪片を形成するように孔の周方向に複数の切込みが入れられ、
前記表示板は、前記孔内に前記ねじ部が挿通された状態では、前記爪片が前記ねじ部のねじ山に係合して保持され、前記孔内に前記ねじ部が挿通される過程では、前記爪片が前記ねじ部のねじ山と干渉して変形可能とされているねじ用表示札。
【請求項２】
請求項１において、
前記複数の爪片の少なくとも一つは、爪片の先端を折り曲げることによって、爪片の先端がねじ部の谷に到達しない長さに設定され、
当該爪片の折り曲げのため、爪片の折り曲げ予定位置で、その折り曲げ強度を弱くされた折り曲げきっかけ部が形成され、
当該爪片には、その先端に、ねじ本体が孔内に挿通されるとき、挿通されるねじ本体に押されて、爪片に折り曲げ方向の力を伝える爪片押付部が設けられているねじ用表示札。
【請求項３】
請求項２において、
前記折り曲げきっかけ部は、互いに対向する１組の爪片に設けられ、この１組の爪片の各先端は、結合強度が弱くされた弱体部を介してそれぞれ前記爪片押付部に結合され、ねじ本体の孔内への挿通に伴う押圧力を前記爪片押付部が受けて、前記弱体部のいずれか一方は切断され、他方の弱体部を介して対応する爪片の先端は折り曲げられているねじ用表示札。
【請求項４】
請求項１乃至３のいずれかにおいて、
前記表示板は、複数枚が集められて切り離し可能に互いに結合されているねじ用表示札。
【発明の詳細な説明】
【技術分野】
【０００１】
本発明は、ねじの種類、材質等の識別表示を行うねじ用表示札に関する。
【背景技術】
【０００２】
下記特許文献１には、商品の棒状部分に粘着性を利用して取り付けられて商品名や価格等を表示する表示札が開示されている。
また、ねじを販売する店頭では、バーコード等によってねじの種類、材質等の識別表示をしたラベルをねじ本体の棒状部分に粘着性を利用して貼っている。
【先行技術文献】
【特許文献】
【０００３】
【特許文献１】特開平１１−３１１９４８号公報
【発明の概要】
【発明が解決しようとする課題】
【０００４】
しかし、粘着性を利用してねじ本体の棒状部分にラベルが貼られると、ねじを購入した消費者がラベルを剥がそうとしたとき、その粘着性によってねじからラベルが容易に剥がせない問題が生ずる。
このような問題に鑑み本発明の課題は、ねじの種類、材質等の識別表示をするため、ねじに取り付けられる表示札において、表示札をねじに係合させて取り付けることにより、表示札としての表示機能を損なうことなく、ねじ使用に当たっては容易に外せるねじ用表示札を提供することにある。
【課題を解決するための手段】
【０００５】
第１発明は、ねじ本体に表示板が取り付けられ、この表示板にねじ本体の種類、材質等の識別表示が行われるねじ用表示札であって、前記表示板には、ねじ本体のねじ部が挿通される孔が設けられ、該孔は、その孔径が前記ねじ部の互いに隣接するねじ山同士間の谷に受け入れられる大きさとされ、且つ該孔の周りに孔側を先端とする複数の爪片を形成するように孔の周方向に複数の切込みが入れられ、前記表示板は、前記孔内に前記ねじ部が挿通された状態では、前記爪片が前記ねじ部のねじ山に係合して保持され、前記孔内に前記ねじ部が挿通される過程では、前記爪片が前記ねじ部のねじ山と干渉して変形可能とされている。
第１発明によれば、爪片がねじ部のねじ山に係合されることによって表示板がねじ本体に取り付けられる。爪片は係合状態を保持されるため、表示板はねじ本体から容易に外れることはなく、ねじ本体を商品として展示しているとき、ねじ本体に関する価格等の情報を表示することができる。また、ねじ本体を使用する際は、ねじ部を表示板の孔から抜くように操作すると、爪片は変形するため表示板をねじ本体から容易に取り外すことができる。
【０００６】
第２発明は、上記第１発明において、前記複数の爪片の少なくとも一つは、爪片の先端を折り曲げることによって、爪片の先端がねじ部の谷に到達しない長さに設定され、当該爪片の折り曲げのため、爪片の折り曲げ予定位置で、その折り曲げ強度を弱くされた折り曲げきっかけ部が形成され、当該爪片には、その先端に、ねじ本体が孔内に挿通されるとき、挿通されるねじ本体に押されて、爪片に折り曲げ方向の力を伝える爪片押付部が設けられている。
第２発明によれば、ねじ本体が表示板の孔内に挿通されるとき、爪片押付部によって爪片の先端を折り曲げて爪片の長さを短くする。そのため、この爪片は、その先端がねじ部のねじ山に係合しない。ねじ部のねじ山は、螺旋を描いて形成されているのに対し、爪片は平坦な表示体の孔の周りに形成されているため、折り曲げられた爪片の両隣に位置する爪片の組合せは互いに離間したねじ山に係合することになる。このとき、折り曲げられた爪片がねじ山に係合しないため、孔の周りの爪片がねじ部の螺旋状のねじ山にきれいに係合することができる。
【０００７】
第３発明は、上記第２発明において、前記折り曲げきっかけ部は、互いに対向する１組の爪片に設けられ、この１組の爪片の各先端は、結合強度が弱くされた弱体部を介してそれぞれ前記爪片押付部に結合され、ねじ本体の孔内への挿通に伴う押圧力を前記爪片押付部が受けて、前記弱体部のいずれか一方は切断され、他方の弱体部を介して対応する爪片の先端は折り曲げられている。
第３発明によれば、ねじ本体が表示板の孔内に挿通されるとき、爪片押付部がねじ本体の先端に押圧され、弱体部を介して両方の爪片が折り曲げられる方向の力を受ける。このとき、いずれか一方のより弱い方の弱体部が切断されることになる。このようにねじ本体の挿通によって少なくとも１つの爪片の先端を折り曲げることができる。
【０００８】
第４発明は、上記第１乃至第３発明のいずれかにおいて、前記表示板は、複数枚が集められて切り離し可能に互いに結合されている。
第４発明によれば、複数の表示板が結合されてひとまとまりとされているため、１つの表示板が小さなものである場合でも、表示板に対する印刷、孔あけ等をまとめて行うことができ、製造を効率化することができる。また、ねじ本体を展示する際も、連結された表示板を介して複数のねじ本体を連結することができ、複数のねじ本体をまとめて展示することができる。勿論、表示体の連結を切り離すことにより、任意の個数のねじ本体を切り離して展示することもできる。
【図面の簡単な説明】
【０００９】
【図１】本発明の一実施形態としての表示札の斜視図である。
【図２】図１の表示札のＩＩ−ＩＩ線拡大断面図である。
【図３】上記実施形態の表示札の正面図である。
【図４】上記実施形態における孔部分の拡大正面図である。
【図５】図４のＡ部拡大図である。
【図６】上記実施形態の表示札が複数枚連結された状態を示す正面図である。
【発明を実施するための形態】
【００１０】
図１〜５は本発明の一実施形態を示し、この実施形態は、ねじ本体としてのボルト４０のねじ部４２に表示札となる表示板１０を取り付けたものである。表示板１０は、図３に示すように、表面に印刷により各種表示３０が施され、適宜場所にボルト４０のねじ部４２が挿通されるための孔２０が穿設されている。表示板１０は、印刷が可能で、且つ表示札としての強度を備えさせるため、紙に樹脂シートを接合したものとしている。ここでは、表示３０として、ねじ（ボルト）の種類を示す表示３１、ねじ（ボルト）の材質を示す表示３３、頭部４１の大きさを示す表示３２、ねじ部４２の長さを示す表示３４、及び価格情報、店舗情報等を含むバーコード表示３５が施されている。
【００１１】
孔２０は、図４に示すように、表示板１０に対して円形の切込み１７を入れることによって形成されている。但し、孔２０を形成することによって切り出された円形体は後述する爪片押出部１４として孔２０内に残されている。孔２０の周りには、孔２０側を先端とする複数の爪片１１、１２、１３を形成するように孔２０の周方向に複数の切込み１６が入れられている。ここでは、切込み１６は、孔２０の中心から４５度間隔で放射状に延びる線上に入れられ、互いに等しい大きさの８個の爪片１１、１２、１３が形成されている。放射状の切込み１６の各外側端部は、図４にて仮想線で描かれた円上に位置されている。爪片１１、１２、１３は、孔２０内にねじ部４２が挿通された状態では、ボルト４０のねじ部４２の谷４２ａに受け入れられるように孔２０の径が設定されている。この結果、爪片１１、１２、１３がねじ部４２のねじ山４２ｂに係合して、表示板１０はねじ部４２上に保持される。また、孔２０内にねじ部４２が挿通される過程では、爪片１１、１２、１３がねじ部４２のねじ山４２ｂと干渉して変形可能とされている。
【００１２】
８個の爪片１１、１２、１３のうち、互いに対向する爪片１２、１３には、その先端を折り曲げるための折り曲げきっかけ部１２ａ、１３ａがそれぞれ形成されている。折り曲げきっかけ部１２ａ、１３ａは、爪片１２、１３の先端を折り曲げることによって、爪片１２、１３の先端がねじ部４２の谷４２ａに到達せず、ねじ山４２ｂ付近に達する長さとなるように設定された折り曲げ予定位置で、その折り曲げ強度を弱くされている。具体的には、折り曲げきっかけ部１２ａ、１３ａでは、爪片１２、１３の板材に浅い溝が形成されている。
【００１３】
この実施形態において、山径６ｍｍ、谷径４．９ｍｍのボルト４０に対して、表示板１０の大きさは、幅が２６ｍｍ、長さが３０．４８ｍｍ、厚さが０．１ｍｍとされ、孔２０の直径が３．７８ｍｍ、爪片１１、１２、１３を形成するための切込み１６の長さが１．１５ｍｍとされている。これらの寸法は、取り付けられるねじ本体の太さによって、また表示板１０の材質、つまり表示板１０の折り曲げ強さによって適宜変更されるが、孔２０の直径は、ねじ本体のねじ部の谷径よりも僅かに小さくされ、切込み１６の長さは、ボルト４０を孔２０に挿通する際の挿通のし易さと、表示板１０のねじ部４２への係合の強さが適当なレベルとなるように調整される。因みに、切込み１６の長さを短くするとボルト４０は挿通し難くなり、係合強さは強くなる。切込み１６の長さを長くすれば反対の傾向となる。
【００１４】
孔２０内に残された爪片押出部１４は、爪片１２、１３の先端と対向する部位に細幅で結合強度が弱くされた弱体部１５（図５参照）が残されて、爪片押出部１４と爪片１２、１３とは２つの弱体部１５を介して連結されている。弱体部１５は、孔２０内にボルト４０のねじ部４２が挿通されて、その先端で爪片押出部１４が押されると、その押圧力は細幅の弱体部１５に集中し、その結果、弱体部１５のいずれか一方が切断され、切断されなかった他方の弱体部１５を介して対応する爪片１２又は１３の先端は折り曲げられる。そのため、図２に示すように、爪片１２（爪片１３の場合もあり得る）は、その先端がねじ部４２のねじ山４２ｂには係合されず、ねじ山４２ｂ上に乗り上げたままとなる。そして、爪片１２（爪片１３の場合もあり得る）の両隣の爪片１１、１１は、１周すると位置ずれする螺旋状のねじ山４２ｂに係合することができる。なお、他方の弱体部１５が切断されないまま残ると、爪片押出部１４は、図２に仮想線で示すように爪片１２（爪片１３の場合もあり得る）の先端で、ねじ部４２の周りにぶら下った状態となる。この状態では、爪片押出部１４は用済であるため、引きちぎって取り除いても良い。
【００１５】
以上の構成により、表示板１０の爪片１１がボルト４０のねじ部４２のねじ山４２ｂに係合されることによって表示板１０がボルト４０に取り付けられる。爪片１１は、図２のようにボルト４０の挿入方向に沿って変形してねじ山４２ｂに係合し、そのねじ山４２ｂとの係合状態を保持されるため、表示板１０はボルト４０から容易に外れることはなく、ボルト４０を店頭で商品として展示しているとき、客に対してボルト４０に関する種類、大きさ、材質等の識別情報を表示することができる。また、購入者がボルト４０を使用する際は、ねじ部４２を表示板１０の孔２０から抜くように操作すると、爪片１１は、ボルト４０の引き抜き方向に沿って変形するため表示板１０をボルト４０から容易に取り外すことができる。
また、ボルト４０が表示板１０の孔２０内に挿通されるとき、爪片押付部１４によって爪片１２又は１３の先端は折り曲げられてその長さを短くされる。そのため、この爪片１２又は１３は、その先端がねじ部４２のねじ山４２ｂに係合しない。ねじ部のねじ山４２ｂは、螺旋を描いて形成されているのに対し、爪片１１、１２、１３は平坦な表示体１０の孔２０の周りに形成されているため、爪片１２又は１３の両隣に位置する爪片１１、１１の組合せは、図２に示されるように、互いに離間したねじ山４２ｂに係合することになる。このとき、爪片１２又は１３がねじ山４２ｂに係合しないため、孔２０の周りの爪片１１がねじ部４２の螺旋状のねじ山４２ｂにきれいに係合することができる。
更に、ボルト４０が表示板１０の孔２０内に挿通されるとき、爪片押付部１４がボルト４０の先端に押圧され、弱体部１５を介して両方の爪片１２、１３が折り曲げられる方向の力を受ける。このようにボルト４０の挿通によって少なくとも１つの爪片１２又は１３の先端を折り曲げることができる。
【００１６】
以上の実施形態では、店頭でボルト４０を販売する場合について説明したが、本発明の表示札は、工場、建設現場などで使用するボルト４０を識別するために使用しても良い。このようにボルト４０を使用する現場で表示札によりボルト４０を識別する場合は、ボルト４０を使用した後も表示札をボルト４０に付着したままとすることもできる。それにより使用したボルト４０が予め決められたものであるか否かのチェックを表示札を見ることにより容易に行うことができる。その場合、チェック完了後は、表示札をボルト４０から容易に取り外せるように、表示板１０上には、孔２０の切込み１６から表示板１０の縁部まで繋がるミシン目１８が形成されている（図１参照）。従って、表示札を取り外すべく表示板１０を持って引っ張ると、その引っ張り力によりミシン目１８が切れて孔２０からボルト４０が外れて表示板１０がボルト４０から分離される。
【００１７】
表示板１０に切込み１６、１７及びミシン目１８を入れる作業は、表示板１０をローラカッタに通すことによって行われる。また、折り曲げきっかけ部１２ａ、１３ａの形成も、ローラカッタに表示板１０が通される際にローラカッタ表面上の突部に押されて同時に行われる。表示板１０に表示３０を施すための印刷は、上記ローラカッタによる作業が終了した後に行われる。
【００１８】
図６は、以上説明した表示板１０が複数個連結されたものを示す。ここでは、ロール状に巻かれた長尺の表示板シート１に、縦に６枚分、横に多数の表示板１０を連結した例を示している。図６では、図面が煩雑になることを防止するため表示板１０の符号は一部のみにつけられている。また、各表示板１０は表示３０を省略して示しているが、上述した表示板１０と全く同一である。各表示板１０同士間には、ミシン目が入れられて、必要に応じて任意数の表示板１０を切り離すことができるようにされている。ミシン目を入れる作業は、上記ローラカッタに表示板シート１を通すことによって行われる。
このように複数の表示板１０が結合されてひとまとまりとされているため、１つの表示板１０が小さなものである場合でも、表示板１０に対する印刷、孔あけ等をまとめて行うことができ、製造を効率化することができる。また、ボルト４０を展示する際も、連結された表示板１０を介して複数のボルト４０を連結することができ、複数のボルト４０をまとめて展示することができる。勿論、表示体１０の連結を切り離すことにより、任意の個数のボルト４０を切り離して展示することもできる。
【００１９】
以上、特定の実施形態について説明したが、本発明は、それらの外観、構成に限定されず、本発明の要旨を変更しない範囲で種々の変更、追加、削除が可能である。例えば、
１．表示板は、紙、木、樹脂の板を単独で用いても良いし、それらを適宜接合したものとしても良い。
２．上記実施形態では、爪片押付部１４は、孔２０を形成するために切り出された円形のものとしたが、ねじ本体４０が孔２０内に挿通されるのに伴って押圧される形状であれば良く、任意の形状とすることができる。また、上記実施形態では、爪片押付部１４は、互いに対向する爪片１２、１３の間に弱体部１５を介して連結されるものとしたが、一つの爪片のみに連結され、ねじ本体４０によって押圧されることによってその爪片の先端を折り曲げるように構成されたものでも良い。
３．上記実施形態では、爪片１１、１２、１３を８個としたが、６個としても良いし、任意の個数とすることができる。但し、この個数は弱体部１５を対称形とするために偶数とするのが好ましい。
４．複数個の爪片は、互いに異なる大きさとされても良いし、各爪片間の切込みの間隔が各切込み同士で互いに異なっていても良い。
５．表示体１０の表示３０は、各種のものを採用することができる。
６．上記実施形態では、ねじ本体をボルト４０としたが、各種のねじを対象とすることができる。
【符号の説明】
【００２０】
１    表示板シート
１０  表示板
１１、１２、１３  爪片
１２ａ、１３ａ  折り曲げきっかけ部
１２ｂ、１３ｂ  先端
１４  爪片押付部
１５  弱体部
１６、１７  切込み
１８  ミシン目
２０  孔
３０  表示
４０  ボルト（ねじ本体）
４１  頭部
４２  ねじ部
４２ａ  谷
４２ｂ  ねじ山
【図１】
2015125394.tif 000003
【図２】
2015125394.tif 000004
【図３】
2015125394.tif 000005
【図４】
2015125394.tif 000006
【図５】
2015125394.tif 000007
【図６】
2015125394.tif 000008